(57)【要約】【課題】記録前に全データをチェックすることにより、フォーマットエラーによる書込みの失敗を防止する。【解決手段】ＤＶＤ−ＶＲフォーマットデータからＤＶＤ−Ｖｉｄｅｏデータへの変換する時に、記録データを事前にチェックし、ＤＶＤ−Ｖｉｄｅｏフォーマット違反の光ディスクが作成できないようにした。これにより無駄になっていた光ディスクを救済することができるとともに、記録途中でフォーマットの違いにより書き込み不良になる場合の時間的なロスの解消も可能となる。【選択図】      図２
2004206776.tif 000002
【特許請求の範囲】
【請求項１】
記録可能な光ディスクに対して情報の記録を行う場合の記録フォーマットチェック方法において、
記録しようとするデータのうちの再生制御情報データに含まれるビデオ符号化情報およびオーディオ符号化情報を調べ、前記記録しようとするデータ内でこれらの値が変化していないことをチェックするステップと、
前記記録しようとするデータのうちの映像、音声、字幕データに含まれるアスペクト情報、およびオーディオ符号化情報を調べ、タイトル内でこれら値が変化していないことをチェックするステップとからなることを特徴とする記録フォーマットチェック方法。
【請求項２】
チェックを行う記録フォーマットは、論理あるいは物理フォーマットの何れかであることを特徴とする請求項１記載の記録フォーマットチェック方法。
【請求項３】
請求項１または２の記録フォーマットチェック方法に基づき、事前に記録可能な光ディスクかどうかのフォーマットチェックを行い、所定のフォーマットにより記録情報を光ディスクに対して記録することを特徴とする光ディスク装置。
【発明の詳細な説明】
【０００１】
【発明の属する技術分野】
この発明は、ＤＶＤ−Ｖｉｄｅｏフォーマットデータが記録可能な光ディスクにおける記録前のフォーマットチェックを行う記録フォーマットチェック方法および光ディスク記録装置に関する。
【０００２】
【従来の技術】
従来の光ディスク記録装置は、ＤＶＤ-ＲＡＭ（Digital Versatile Disk Random Access Memory）を使用してテレビ放送などをリアルタイムで記録可能な規格であるＤＶＤ-ＶＲ(Video Recording)に基づいてＤＶＤ-Ｒ（Recordable）やＤＶＤ-ＲＷ（ReWritable）等の光ディスクへ記録する際、送信されてくる映像と音声および再生制御に必要な情報を予め予約された別領域に記録することにより記録順の前後の変更を可能としている。（例えば、特許文献１）
【０００３】
【特許文献１】
特開２００２−５６６５０号公報（第１２頁、図８）
【０００４】
【発明が解決しようとする課題】
上記した特許文献１の技術は、映像・音声信号をＤＶＤ−Ｖｉｄｅｏフォーマットで記録する際に、領域確保を行うことにより、再生に必要な制御情報および映像・音声情報をフォーマットに準拠して記録するものである。
【０００５】
ところで、ＤＶＤ−ＶＲのフォーマットデータは、編集を想定したデータ構造をとるため、ビデオ、オーディオに関する属性の制限がかなり緩やかに運用されている。一方、ＤＶＤ−Ｖｉｄｅｏフォーマットでは、制限が厳しく運用されているため、編集したデータをＤＶＤ−ＶｉｄｅｏフォーマットでＤＶＤ-Ｒに記録した場合にフォーマット違反が検出されると記録が中止され、光ディスクが使用できなくなっていた。
【０００６】
特許文献１では、ＤＶＤ−ＶｉｄｅｏデータをＤＶＤ-Ｒ／ＲＷに記録する前に、タイトルの内容がＤＶＤ−Ｖｉｄｅｏフォーマットに準拠するか否かのプリチェックを行っていなかったので、記録開始後、データにフォーマット違反の内容があると記録が停止、さらに光ディスクが使用不可になる。
【０００７】
この発明の目的は、記録前に変換データがフォーマット違反していないかのプリチェックを行うことにより、光ディスクを無駄にせずに済む記録フォーマットチェック方法および光ディスク記録装置を提供することにある。
【０００８】
【課題を解決するための手段】
上記した課題を解決するために、この発明の記録フォーマットチェック方法では、記録可能な光ディスクに対して情報の記録を行う場合の記録フォーマットチェック方法にあって、記録しようとするデータのうちの再生制御情報データに含まれるビデオ符号化情報およびオーディオ符号化情報を調べ、前記記録しようとするデータ内でこれらの値が変化していないことをチェックするステップと、前記記録しようとするデータのうちの映像、音声、字幕データに含まれるアスペクト情報、およびオーディオ符号化情報を調べ、タイトル内でこれら値が変化していないことをチェックするステップとからなることを特徴とする。
【０００９】
また、この発明の光ディスク装置では、上記記録フォーマットチェック方法に基づき、事前に記録可能な光ディスクかどうかのフォーマットチェックを行い、所定のフォーマットにより記録情報を光ディスクに対して記録することを特徴とする。
【００１０】
上記した各手段によれば、無駄になっていた光ディスクを救済することができるとともに、記録途中でフォーマットの違いにより書き込み不良になる場合の時間的なロスの解消も可能となる。
【００１１】
【発明の実施の形態】
以下、この発明の実施の形態について、図面を参照しながら詳細に説明する。図１は、この発明を適用した記録再生装置のディスク記録再生装置の概念図である。図１において、１１はメインＭＰＵ（Micro Processing Unit）であり、このメインＭＰＵ１１によりシステム全体の制御動作を行っている。メインＭＰＵ１１より読み出し要求があると、ＣＤ―ＲＯＭ（Compact Disk Read Only Memory）ドライブなどハードディスク以外の機器を接続するためのデータ転送方式であるＡＴＡＰＩ（AT Attachment Packet Interface）コントローラ１２は、コピープロテクト１３経由でＨＤＤ（Hard Disk Drive）ドライブＨＤに記録されているＤＶＤ−ＶＲフォーマットの再生制御情報であるナビゲーションデータを、ワークメモリ１４に書き込む。メインＭＰＵ１１では、ワークメモリ１４に読み出されたナビゲーションデータのうち、ビデオ情報（符号化モード）、オーディオ情報（符号化モード）をチェックする。
【００１２】
また、同時にＨＤＤドライブＨＤに記録されている映像、音声、字幕データであるプレゼンテーションデータは、コピープロテクト１３経由でＡＴＡＰＩコントローラ１２に接続されているＳＤＲＡＭ（Synchronous Dynamic Random Access Memory）１５に書き込まれる。メインＭＰＵ１１からＳＤＲＡＭ１５に読み出し要求があると、指定されたアドレスのデータがワークメモリ１４に書き込まれる。
【００１３】
逆に、データを書き込む場合には、ワークメモリ１４からＳＤＲＡＭ１５の指定されたアドレスに対して書き込みが行われる。ＳＤＲＡＭ１５に記録されたデータは、さらに、ＣＰＲＭ（Copy Protection for Recordable Media）１６を経由してＤＶＤ−ＲＡＭドライブＯＤに搭載されたＤＶＤ−Ｒ用の光ディスクにデータを記録する。
【００１４】
次に、図２のフローチャートを参照しながら、ＤＶＤ−ＶＲフォーマットデータから、ＤＶＤ−Ｖｉｄｅｏデータへのデータ変換におけるフォーマットチェックを行うこの発明の一実施の形態について説明する。
【００１５】
編集が許可されているＤＶＤ−ＶＲフォーマットデータは、複数のＶＯＢ（Video Object）が結合される可能性があり、コピープロテクトされたデータ、アスペクト比の混在、ビデオの圧縮モード、解像度の混在、オーディオの符号化モードなどの属性が混在する場合がある。
【００１６】
まず、ナビゲーションデータのチェック処理について説明する。図３は、ＤＶＤ−ＶＲフォーマットに準拠したファイルのディレクトリ構成を示し、全てのデータはＤＶＤ_ＲＴＡＶディレクトリ下に管理されるように規定される。ＶＲ_ＭＡＮＡＧＲ．ＩＦＯは、図４に示すナビゲーションデータであり、動画データＶＲ_ＭＯＶＩＥ．ＶＲＯ、静止画データＶＲ_ＳＴＩＬＬ．ＶＲＯ、オーディオデータＶＲ＿ＡＵＤＩＯ．ＶＲＯはプレゼンテーションデータである。
【００１７】
ＤＶＤ−ＶＲタイトルのＤＶＤ−Ｖｉｄｅｏフォーマットへの変換要求があると、ＤＶＤ−ＶＲフォーマットデータのナビゲーションデータ（ＶＲ＿ＭＡＮＡＧＲ．ＩＦＯ）が読み込まれる（Ｓ１）。
【００１８】
書き込まれた制御情報の中の各ＶＯＢの属性を管理するデータとしては、図４に示す動画再生情報Ｍ_ＶＯＢ_ＳＴＩ４１が、Ｍ_ＡＶＦＩＴ（Movie AV File Information Table）４２内に存在する。また、Original  ＰＧＣ（Program Chaine）Information４３には、プレゼンテーションデータの再生期間を示すアドレス情報が記録されている。図５に示す各タイトルは、ＰＧＣＩ(Program Chain Information)５１により管理されるが、その構成要素がＰｒｏｇｒａｍおよびその構成要素Ｃｅｌｌである。動画再生情報Ｍ_ＶＯＢ＿ＳＴＩ４１内には、ビデオの圧縮モード、アスペクト、解像度、オーディオの符号化モードなどの情報がＣｅｌｌ単位で管理される。
【００１９】
Ｃｅｌｌ単位で、ビデオ符号化モード、オーディオ符号化モードの属性情報が取得され、ワークメモリ１２に管理される。タイトル内の各Ｃｅｌｌに含まれるビデオおよびオーディオ属性情報が先頭Ｃｅｌｌの属性と同じであるかチェックし（Ｓ２、Ｓ３）、上記ビデオおよびオーディオ属性情報の取得は該当するＣｅｌｌ全ての読み込みが終了されるまで継続する（Ｓ４）。同じでない場合には、フォーマットチェックを終了し、エラー処理を行う。タイトル内の全てのＣｅｌｌのビデオおよびオーディオ属性情報が同じであると判断されたら、プレゼンテーションデータのチェックを行う。
【００２０】
次に、プレゼンテーションデータの読み込みおよびフォーマットチェックについて説明する。ここでは、ＤＶＤ−Ｖｉｄｅｏフォーマット変換に使用される動画データＶＲ＿ＭＯＶＩＥ．ＶＲＯについて説明する。
【００２１】
各Ｃｅｌｌは、Ｍ_ＶＯＢＩ（Movie Video Object Information）５２内のＴＭＡＰ(Time Map)５３と呼ばれる管理情報の集まりで構成される。ＴＭＡＰ５３には、プレゼンテーションデータの再生最小単位であるＶＯＢＵ（Video ObjectUnit）５４へのエントリが記述される。図５のＴＭＡＰ５３、すなわち図６のＴＭＡＰ６１内には、各ＶＯＢＵの再生開始時間ＰＢ_ＴＭ（Playback Time）および再生長ＶＯＢＵ＿ＳＺが記述され、各ＶＯＢＵの参照が可能なようになっている。録画直後は、各Ｃｅｌｌの再生開始・終了位置は各ＶＯＢの再生開始・終了位置に一致しているが、編集が発生するとＣｅｌｌがＶＯＢの一部となる場合がある。その場合でも、ＴＭＡＰ情報を管理することにより、正確に再生範囲を管理することが可能となる。
【００２２】
次に、プレゼンテーションデータのチェック処理について説明する。まず、図２のステップＳ５において、図６に示したＶＯＢＵ６１（図５の５４）の読み込みを行い、倍角ＶＯＢ６２の中のアスペクト比、コピープロテクション、オーディオ符号化モード、オーディオチャンネル数がＣｅｌｌの先頭ＶＯＢＵの属性と一致しているかを調べる（Ｓ６〜Ｓ９）。
【００２３】
ここで、図６の倍角ＶＯＢ６２のＲＤＩ_ＰＣＫ（Real-time Data Information Pack）を図７に示す。図７のＤＣＩ_ＣＣＩ＿ＳＳ７１は、アスペクト比などのビデオ属性およびＣＣＩのコピープロテクションの有効・無効フラグが設定されており、フラグが有効な場合には、ＤＣＩ（Display Contorol Information）７２の中のＡｓｐｅｃｔ７３、ＣＣＩ（Copy Control Information）７４中のＣＧＭＳ（Copy Generation Managing System）７５、ＡＰＳＴＢ（Analog Protection Single trigger Bit）７６の情報が次のような意味を持つ。
【００２４】
Ａｓｐｅｃｔは、図８に示す各ＶＯＢＵ単位のアスペクト比情報を有し、４：３または１６：９のいずれかの値を持つ。ＣＧＭＳは、図９に示すコピー許可情報であり、コピー許可またはコピー不許可のいずれかの値を持つ。また、ＡＰＳＴＢは、図１０に示すようなアナログコピープロテクション情報である。
【００２５】
次に、図６の倍角ＶＯＢ６２のＡ＿ＰＣＫについて説明する。ＤＶＤ−Ｖｉｄｅｏフォーマットでは、オーディオデータとしてＬｉｎｅａｒ  ＰＣＭ、Ｄｏｌｂｙ  ＡＣ−３、ＭＰＥＧ  ａｕｄｉｏ  Ｆｏｒｍａｔ１、ＭＰＥＧ  ａｕｄｉｏ  Ｆｏｒｍａｔ２がサポートされているが、ここではＬｉｎｅａｒ  ＰＣＭについてのみ、図１１、図１２に示し説明する。
【００２６】
また、図１１のＬｉｎｅａｒ  ＰＣＭのAudio data information１１１の構成を図１２に示す。すなわち、Ｌｉｎｅａｒ  ＰＣＭの場合は、Audio data information１１１内のNumber_of_audio_channels１２１により、Ａ＿ＰＣＫ毎にオーディオ符号化モードの変化を検出できる。
【００２７】
ＰＧＣＩ５１内のＣｅｌｌ♯１〜♯３…に含まれる全てのＶＯＢＵを調べ、一致している場合には正常にフォーマット変換可能と判断し、ＤＶＤ−ＶＲからＤＶＤ−Ｖｉｄｅｏにフォーマット変換を行う。一方、一致していないデータが検出された場合には、処理を中止し、フォーマット変換を行わない。
【００２８】
このように、ＤＶＤ−ＶＲフォーマットデータからＤＶＤ−Ｖｉｄｅｏデータへ変換する時に、データをチェックし、ＤＶＤ−Ｖｉｄｅｏフォーマット違反の光ディスクが作成できないようにし、無駄になっていた光ディスクを救済することができる。また、記録途中でフォーマットの違いにより書き込み不良になる場合の時間的なロスの解消もできる。
【００２９】
この発明は、上記した実施の形態に限定されるものではなく、データフォーマット変換を伴う全ての処理について実施可能なチェックである。また、ここではデータのフォーマット（論理）チェックについて説明したが、光ディスク・記録装置などのハードウエアに関する物理的なチェックを事前行うやり方でも構わない。この場合、実際の書き込みを伴わないテスト書き込みモードでディスク上の物理的なディフェクトを予め調べ記録可能な光ディスクかをチェックすることによっても、論理チェックと同様の効果を奏する。
【００３０】
【発明の効果】
以上説明したように、この発明によれば、記録前に全データをチェックすることにより、フォーマットエラーによる書込みの失敗を防止でき、光ディスクを無駄にする弊害をなくすことが可能となる。
【図面の簡単な説明】
【図１】この発明を適用した記録再生装置のディスク記録再生装置の概念図。
【図２】この発明の一実施の形態について説明するためのフローチャート。
【図３】ＤＶＤ−ＶＲフォーマットに準拠したファイルのディレクトリ構成について説明するための説明図。
【図４】ＤＶＤ−ＶＲのビデオマネージャーについて説明するための説明図。
【図５】ＤＶＤ−ＶＲのビデオレコーディングデータについて説明するための説明図。
【図６】ＶＯＢＵエントリについて説明するための説明図。
【図７】ＲＤＩ＿ＰＣＫについて説明するための説明図。
【図８】アスペクト情報について説明するための説明図。
【図９】ＣＧＭＳについて説明するための説明図。
【図１０】ＡＰＳＴＢについて説明するための説明図。
【図１１】Ｌｉｎｅｒ  ＰＣＭのデータ構造について説明するための説明図。
【図１２】オーディオデータ情報について説明するための説明図。
【符号の説明】
１１…メインＭＰＵ
１２…ＡＴＡＰＩコントローラ
１３…コピープロテクト
１４…ワークメモリ
１５…ＳＤＲＡＭ
１６…ＣＰＲＭ
ＨＤ…ＨＤＤドライブ
ＯＤ…ＤＶＤ−ＲＡＭドライブ
【図１】
2004206776.tif 000003
【図２】
2004206776.tif 000004
【図３】
2004206776.tif 000005
【図４】
2004206776.tif 000006
【図５】
2004206776.tif 000007
【図６】
2004206776.tif 000008
【図７】
2004206776.tif 000009
【図８】
2004206776.tif 000010
【図９】
2004206776.tif 000011
【図１０】
2004206776.tif 000012
【図１１】
2004206776.tif 000013
【図１２】
2004206776.tif 000014